(57)【要約】【課題】利用者が初めて訪れた地域でも利用者の嗜好に適合する信用できる地域情報を選択して利用者へ情報提供できる地域情報案内システム等を提供すること【解決手段】提供者サブシステム７が利用者属性情報と提供者属性情報と地域情報をデータベースに蓄積し、利用者端末１０がアクセスデータを街頭端末２０に送信し、提供者サブシステムがキーワードにマッチするマッチ地域情報を検索し、対象物の位置と利用者の位置との間の距離を示す距離情報を算出し、情報提供者属性情報と利用者属性情報の間の類似度を算出し、類似度と登録日時と距離情報が所定の条件を満足する提供地域情報をマッチ地域情報から選択し利用者に提供する。【選択図】図１
2008217133.tif 000002
【特許請求の範囲】
【請求項１】
利用者により携行される利用者端末と、この利用者端末に地域情報を提供する提供者サブシステムと、アクセスポイントに設置された街頭端末と、情報提供者に携行され前記提供者サブシステムに前記地域情報を登録する情報提供者携帯端末とを備えた地域情報案内システムにおいて、
前記情報提供者端末は、
対象物の位置を示す対象物位置情報と前記対象物に関する前記情報提供者のコメントを含む地域情報を前記情報提供者を識別する情報提供者ＩＤとともに前記提供者サブシステムに送信する地域情報登録手段を備え、
前記利用者携帯端末は、
前記街頭端末に前記利用者を識別する利用者ＩＤとキーワードを含むアクセスデータを送信するアクセスデータ送信手段を備え、
前記街頭端末は、
前記街頭端末の位置を特定する街頭端末位置情報を記憶する街頭端末位置情報記憶部と
前記利用者携帯端末から前記アクセスデータを受信し、このアクセスデータを街頭端末位置情報記憶部から読み出した街頭端末位置情報とともに前記提供者サブシステムに送信するアクセスデータ転送手段と、を備え、
前記提供者サブシステムは、
前記利用者の属性を示す利用者属性情報を前記利用者ＩＤに対応付けて記憶する利用者属性データベースと、
前記情報提供者の属性を示す提供者属性情報を前記情報提供者ＩＤに対応付けて記憶する提供者属性データベースと、
前記情報提供者携帯端末から受信した前記地域情報をその地域情報を投稿した情報提供者の情報提供者ＩＤおよびその地域情報の登録日時に対応付けて記憶する地域情報データベースと、
前記アクセスデータと前記街頭端末位置情報を前記街頭端末から受信し、前記キーワードにマッチするマッチ地域情報を前記地域情報データベースから抽出するキーワード検索手段と、
前記マッチ地域情報の対象物の位置と前記アクセスデータを送信した利用者の位置との間の距離を示す距離情報を、前記街頭端末位置情報と前記対象物位置情報に基づいて算出する利用者位置検出手段と、
前記マッチ地域情報を登録した情報提供者の情報提供者属性情報を前記提供者属性データベースから、前記アクセスデータを送信した利用者の利用者属性情報を前記利用者属性データベースからそれぞれ抽出し、これら抽出した情報提供者属性情報と利用者属性情報の間の類似度を算出する属性データ類似条件検出手段と、
前記類似度が類似度条件を満足し、かつ、前記登録日時が登録日時条件を満足し、かつ、前記距離情報が距離条件を満足する提供地域情報を前記マッチ地域情報から選択し前記利用者に提供する情報配信部を備えたことを特徴とした地域情報案内システム。
【請求項２】
前記アクセスデータ送信手段は、可視光通信により前記アクセスデータを送信することを特徴とした請求項１に記載の地域情報案内システム。
【請求項３】
前記情報提供者端末は、前記対象物位置情報を取得する測位手段を備えたことを特徴とした請求項１または請求項２に記載の地域情報案内システム。
【請求項４】
前記提供者サブシステムは、前記マッチ地域情報の対象物の位置と前記利用者の位置を含む地図データを生成する地図データ抽出部を備え、
前記情報配信部は、前記図データを前記地域情報とともに提供することを特徴とした請求項１ないし請求項３のいずれかひとつに記載の地域情報案内システム。
【請求項５】
前記情報提供者端末は、前記対象物を撮影し画像データを生成する撮影手段を備え、
前記地域情報は前記画像データを含むことを特徴とした請求項１ないし請求項４のいずれかひとつに記載の地域情報案内システム。
【請求項６】
前記利用者携帯端末は、前記提供者サブシステムから前記地域情報を受信する地域情報受信手段と、
前記地域情報受信手段により受信した地域情報を表示する表示手段と、を備え、
前記情報配信部は、前記提供地域情報を前記利用者携帯端末に送信することを特徴とした請求項１ないし請求項５のいずれかひとつに記載の地域情報案内システム。
【請求項７】
前記利用者携帯端末は、前記提供者サブシステムから前記地域情報を受信する地域情報受信手段と、
前記地域情報受信手段により受信した地域情報を表示する表示手段と、を備え、
前記情報配信部は、前記提供地域情報を前記利用者携帯端末に送信し、
前記コンテンツデータベースには、前記画像データを識別する画像ＩＤが登録され、
前記情報配信手段は、前記提供地域情報とともに提供地域情報に含まれる画像データの画像ＩＤを前記利用者携帯端末に送信し、
前記利用者携帯端末は、前記情報配信手段から受信した画像ＩＤを前記街頭端末に送信する画像ＩＤ転送手段を備え、
前記街頭端末は、前記利用者端末から受信した画像ＩＤを前記提供者サブシステムに送信し、この画像ＩＤに対応する画像データを取得する画像データ取得手段と、画像データ取得手段により取得した画像データを表示する表示手段を備えたことを特徴とした請求項５に記載の地域情報案内システム。
【請求項８】
前記情報配信部は、前記提供地域情報を前記街頭端末に送信し、
前記街頭端末は前記提供地域情報を表示する表示手段を備えたことを特徴とした請求項１ないし請求項５のいずれかひとつに記載の地域情報案内システム。
【請求項９】
利用者の属性を示す利用者属性情報を前記利用者を識別する利用者ＩＤに対応付けて記憶する利用者属性データベースと、
情報提供者の属性を示す提供者属性情報を前記情報提供者を識別する情報提供者ＩＤに対応付けて記憶する提供者属性データベースと、
対象物の位置を示す対象物位置情報と前記対象物に関する情報提供者のコメントを含む地域情報をその地域情報を投稿した情報提供者の情報提供者ＩＤおよびその地域情報の登録日時に対応付けて記憶する地域情報データベースと、
利用者ＩＤとキーワードを含むアクセスデータと街頭端末の位置を特定する街頭端末位置情報を前記街頭端末から受信し、前記キーワードにマッチするマッチ地域情報を前記地域情報データベースから抽出するキーワード検索手段と、
前記マッチ地域情報の対象物の位置と前記アクセスデータを送信した利用者の位置との間の距離を示す距離情報を、前記街頭端末位置情報と前記対象物位置情報に基づいて算出する利用者位置検出手段と、
前記マッチ地域情報を登録した情報提供者の情報提供者属性情報を前記提供者属性データベースから、前記アクセスデータを送信した利用者の利用者属性情報を前記利用者属性データベースからそれぞれ抽出し、これら抽出した情報提供者属性情報と利用者属性情報の間の類似度を算出する属性データ類似条件検出手段と、
前記類似度が類似度条件を満足し、かつ、前記登録日時が登録日時条件を満足し、かつ、前記距離情報が距離条件を満足する提供地域情報を前記マッチ地域情報から選択し前記利用者に提供する情報配信部を備えたことを特徴とした地域情報配信システム。
【請求項１０】
前記提供者サブシステムは、前記マッチ地域情報の対象物の位置と前記利用者の位置を含む地図データを生成する地図データ抽出部を備え、
前記情報配信部は、前記図データを前記地域情報とともに提供することを特徴とした請求項９に記載の地域情報配信システム。
【請求項１１】
前記情報配信部は、前記提供地域情報を前記利用者が携行する利用者携帯端末に送信することを特徴とした請求項９または請求項１０に記載の地域情報配信システム。
【請求項１２】
前記情報配信部は、前記提供地域情報を前記街頭端末に送信することを特徴とした請求項９ないし請求項１１のいずれかひとつに記載の地域情報配信システム。
【請求項１３】
コンピュータを、
利用者ＩＤとキーワードを含むアクセスデータと街頭端末の位置を特定する街頭端末位置情報を前記街頭端末から受信し、前記キーワードにマッチするマッチ地域情報を、対象物の位置を示す対象物位置情報と前記対象物に関する情報提供者のコメントを含む地域情報をその地域情報を投稿した情報提供者の情報提供者ＩＤおよびその地域情報の登録日時に対応付けて記憶する地域情報データベースから抽出するキーワード検索手段と、
前記マッチ地域情報の対象物の位置と前記アクセスデータを送信した利用者の位置との間の距離を示す距離情報を、前記街頭端末位置情報と前記対象物位置情報に基づいて算出する利用者位置検出手段と、
前記マッチ地域情報を登録した情報提供者の情報提供者属性情報を、提供者属性情報を前記情報提供者を情報提供者ＩＤに対応付けて記憶する提供者属性データベースから、前記アクセスデータを送信した利用者の利用者属性情報を、利用者属性情報を利用者ＩＤに対応付けて記憶する利用者属性データベースからそれぞれ抽出し、これら抽出した情報提供者属性情報と利用者属性情報の間の類似度を算出する属性データ類似条件検出手段と、
前記類似度が類似度条件を満足し、かつ、前記登録日時が登録日時条件を満足し、かつ、前記距離情報が距離条件を満足する提供地域情報を前記マッチ地域情報から選択し前記利用者に提供する情報配信部、として機能させる地域情報配信プログラム。
【請求項１４】
前記コンピュータを、前記マッチ地域情報の対象物の位置と前記利用者の位置を含む地図データを生成する地図データ抽出部として機能させ、
前記情報配信部は、前記図データを前記地域情報とともに提供することを特徴とした請求項１３に記載の地域情報配信プログラム。
【請求項１５】
前記情報配信部は、前記提供地域情報を前記利用者が携行する利用者携帯端末に送信することを特徴とした請求項１３または請求項１４に記載の地域情報配信プログラム。
【請求項１６】
前記情報配信部は、前記提供地域情報を前記街頭端末に送信することを特徴とした請求項１３ないし請求項１５のいずれかひとつに記載の地域情報配信プログラム。
【請求項１７】
提供者サブシステムが、利用者の属性を示す利用者属性情報を前記利用者を識別する利用者ＩＤに対応付けて利用者属性データベースに、情報提供者の属性を示す提供者属性情報を前記情報提供者を識別する情報提供者ＩＤに対応付けて記憶する提供者属性データベースにそれぞれ記憶する属性情報蓄積工程と、
前記情報提供者が携行する情報提供者携帯端末が、対象物の位置を示す対象物位置情報と前記対象物に関する前記情報提供者のコメントを含む地域情報を前記提供者サブシステムに送信し、前記提供者サブシステムが、地域情報を地域情報を投稿した情報提供者の情報提供者ＩＤおよびその地域情報の登録日時に対応付けて地域情報データベースに記憶する地域情報蓄積工程と、
利用者が携行する利用者端末が、街頭端末に前記利用者ＩＤとキーワードを含むアクセスデータを送信するアクセスデータ送信工程と、
前記提供者サブシステムが、前記アクセスデータと前記街頭端末位置情報を前記街頭端末から受信し、前記キーワードにマッチするマッチ地域情報を前記地域情報データベースから抽出するキーワード検索工程と、
前記提供者サブシステムが、前記マッチ地域情報の対象物の位置と前記アクセスデータを送信した利用者の位置との間の距離を示す距離情報を、前記街頭端末位置情報と前記対象物位置情報に基づいて算出する利用者位置検出工程と、
前記提供者サブシステムが、前記マッチ地域情報を登録した情報提供者の情報提供者属性情報を前記提供者属性データベースから、前記アクセスデータを送信した利用者の利用者属性情報を前記利用者属性データベースからそれぞれ抽出し、これら抽出した情報提供者属性情報と利用者属性情報の間の類似度を算出する属性データ類似条件検出工程と、
前記提供者サブシステムが、前記類似度が類似度条件を満足し、かつ、前記登録日時が登録日時条件を満足し、かつ、前記距離情報が距離条件を満足する提供地域情報を前記マッチ地域情報から選択し前記利用者に提供する情報配信工程を備えた地域情報案内方法。
【請求項１８】
前記アクセスデータ送信工程では、可視光通信により前記アクセスデータを送信することを特徴とした請求項１７に記載の地域情報案内方法。
【請求項１９】
前記地域情報蓄積工程では、前記情報提供者端末が、前記対象物位置情報を測位することを特徴とした請求項１７または請求項１８に記載の地域情報案内方法。
【請求項２０】
前記提供者サブシステムが、前記マッチ地域情報の対象物の位置と前記利用者の位置を含む地図データを生成する地図データ抽出工程を備え、
前記情報配信工程では、前記図データを前記地域情報とともに提供することを特徴とした請求項１７ないし請求項１９のいずれかひとつに記載の地域情報案内方法。
【請求項２１】
前記地域情報蓄積工程では、前記情報提供者端末が、前記対象物の画像データを生成し、この画像データを前記地域情報に含めて前記提供者サブシステムに送信することを特徴とした請求項１７ないし請求項２０のいずれかひとつに記載の地域情報案内方法。
【請求項２２】
前記情報配信工程では、前記提供者サブシステムが前記地域情報を前記利用者端末に送信し、前記利用者端末は、受信した地域情報を表示することを特徴とした請求項１７ないし請求項２１のいずれかひとつに記載の地域情報案内方法。
【請求項２３】
前記地域情報蓄積工程では、前記提供者サブシステムが、前記画像データを識別する画像ＩＤを前記地域情報データベースに登録し、
前記情報配信工程では、前記提供者サブシステムが、前記地域情報とともにその地域情報に含まれる画像データの画像ＩＤを前記利用者端末に送信し、
前記利用者携帯端が、前記情報配信手段から受信した画像ＩＤを前記街頭端末に送信する画像ＩＤ転送工程と、
前記街頭端末が、前記利用者端末から受信した画像ＩＤを前記提供者サブシステムに送信し、この画像ＩＤに対応する画像データを取得する画像データを取得し、取得した画像データを表示する画像データ表示工程とを備えたことを特徴とした請求項２１に記載の地域情報案内方法。
【発明の詳細な説明】
【技術分野】
【０００１】
本発明は、利用者に地域情報を提供するシステムに関し、特に、利用者の位置と利用者の嗜好に合致する適切な地域情報を提供する地域情報案内システム等に関する。
【背景技術】
【０００２】
街中での地域情報案内サービスには大型ディスプレイでランダムに広告や案内を告知する方法があるが、一方的であるため利用者が知りたい情報が見つからない場合が多い。駅などの公共施設にはタッチパネル式の情報端末が置かれ、利用者の知りたい情報を画面やボタンをタッチしながら希望の項目を選択して検索する方法もあるが、情報もガイドブック的な一般的な内容で、あまり更新されていない場合も多い。また情報の階層が複雑で知りたい情報にたどり着くまでに慣れることが必要になる。
【０００３】
パソコンや携帯端末からはインターネット経由で検索サイトや地域ポータルサイトから地域情報を知ることができるが、一般的な内容で更新頻度も少なく利用者の現在いる場所を考慮した情報を提供していない。口コミ情報もまだ一般的ではなく、口コミ情報の特別なサイトを探さなければならない。口コミ情報は情報提供者の嗜好など属性がわからないため、利用者と同じ価値観かどうかによって参考にならない場合もある。
【０００４】
店舗などで非接触方式電子タグを組み込んだ携帯端末を認証するために店頭端末にタッチするだけで情報を入手する方法があるがその店のクーポンや広告や店舗が扱っている関連製品や店舗のホームページにアクセスするだけで、地域の知りたい情報を知ることができない。
【０００５】
サイトに簡単にアクセスできるように二次元バーコードをカメラ付携帯端末で読み取ることもできるが最新の知りたい情報までたどり着くまでにホームページから検索しながら時間をかけて探さなければならない。携帯端末のインターネットサイトでは初めて訪れた利用者にとっては情報不足で画面が小さいので写真などわかりにくくあまり印象に残らない。どのような利用者がどこからアクセスしたかわからないため、移動しているときは利用者の近くで今いる地点からの行き方が示されない。ＧＰＳ携帯端末によって目的地までの地図情報を表示することができるが、画面が小さいので初めて訪れた利用者にとっては感覚がつかみにくい。
【０００６】
従来の情報配信システムの一例が、特許文献１に記載されている。この従来の情報配信システムは、情報提供者の携帯端末の現在位置に関する情報提供元位置情報を取得し、取得した情報提供元位置情報に基づいて情報を配信する配信エリアを特定する情報提供元エリア特定手段と、配信エリアに存在する利用者の携帯端末に対して情報提供者の携帯端末から送信された情報を配信する情報配信手段とから構成されている。
【０００７】
このような構成を有する従来の情報配信システムはつぎのように動作する。
すなわち、情報提供者の携帯端末から送信された情報を受信すると共に情報提供者の携帯端末の現在位置に関する情報提供元位置情報を取得し、取得した情報提供元位置情報に基づいて情報を配信する配信エリアを特定し、配信エリアに存在する利用者の携帯端末に対して情報を配信することを特徴とする。
【０００８】
また、従来の情報案内システムの一例が、特許文献２に記載されている。この従来の情報案内システムは、複数のアクセスポイントとアクセスポイントにネットワークを介して接続された情報案内サーバとサービスエリア内の地域情報を管理・検索している地域情報管理・検索手段と携帯端末を携帯している人物の個人情報と嗜好情報を管理・検索している個人情報管理・検索手段と嗜好情報読み出し・検索手段と携帯端末の位置を検出する位置検出手段と携帯端末の所有者を特定する端末識別情報取得手段と携帯端末への情報提示手段とから構成されている。
【０００９】
このような構成を有する従来の情報案内システムはつぎのように動作する。
すなわち、携帯端末が存在する位置に近いアクセスポイントと情報案内サーバとの無線通信を介して携帯端末の位置を検出し、位置に応じた地域情報、携帯端末の周辺に存在する人物の個人情報、携帯端末を携帯するユーザの好みに合う嗜好情報を含む各種情報を携帯端末に提供することを特徴とする。
【００１０】
従来の番組選択支援情報提供サービスシステムの一例が、特許文献３に記載されている。この番組選択支援情報提供サービスシステムは、視聴実績やユーザ群プロファイル情報からユーザの嗜好を抽出し、抽出した嗜好と類似する嗜好を持つ他のユーザが現在どのような番組を視聴しているのかといった情報を端末装置に画面表示してユーザに提供する。
【００１１】
従来の情報供給システムの一例が、特許文献４に記載されている。この情報供給システムは、地域情報を蓄積したサーバとアクセスポイントにそれぞれ個別の識別情報を持たせ、サーバは、無線通信端末がサーバにアクセスするために用いたアクセスポイントの識別情報に基づいて指定された位置に関してサーバが蓄積した地域情報を無線通信端末に供給する。
【００１２】
従来の地域情報提供システムの一例が、特許文献５に記載されている。この従来の地域情報提供システムは、位置情報または地域識別情報に関連付けられた地域情報と、携帯情報端末を利用するユーザーのユーザー属性情報をサーバに記憶し、属性情報に基づいて地域情報をフィルタリングして携帯情報端末に送信する。
【００１３】
【特許文献１】特開２００３−３０３１４８号公報
【特許文献２】特開平１１−５５７２６号公報
【特許文献３】特開２００３−２４０１４６号公報
【特許文献４】特開２００５−２７２３９号公報
【特許文献５】特開２００６−６５６８５号公報
【発明の開示】
【発明が解決しようとする課題】
【００１４】
特許文献１では情報提供者による口コミ情報を、ユーザの位置情報を検出してエリア内にいる多数のユーザの携帯端末へ配信する宣伝広告的な利用方法であり、特開平１１−５５７２６号公報では携帯端末を持っているユーザの位置に近い地域情報でユーザの好みにあう嗜好情報を選択して提供する推薦情報の検索方法である。前者ではユーザが興味のない情報も配信され、後者ではユーザが興味ある情報内容だが、情報発信者の行動や性格に影響され信用できない情報もある。
【００１５】
そこで、本発明は、利用者が初めて訪れた地域でも利用者の嗜好に適合する信用できる地域情報を選択して利用者へ情報提供できる地域情報案内システム等を提供することを目的とする。
【課題を解決するための手段】
【００１６】
本発明の地域情報案内システムは、利用者により携行される利用者端末と、この利用者端末に地域情報を提供する提供者サブシステムと、アクセスポイントに設置された街頭端末と、情報提供者に携行され提供者サブシステムに地域情報を登録する情報提供者携帯端末とを備えている。
情報提供者端末は、対象物の位置を示す対象物位置情報と対象物に関する情報提供者のコメントを含む地域情報を情報提供者を識別する情報提供者ＩＤとともに提供者サブシステムに送信する地域情報登録手段を備えている。
利用者携帯端末は、街頭端末に利用者を識別する利用者ＩＤとキーワードを含むアクセスデータを送信するアクセスデータ送信手段を備えている。
街頭端末は、街頭端末の位置を特定する街頭端末位置情報を記憶する街頭端末位置情報記憶部と利用者携帯端末からアクセスデータを受信し、このアクセスデータを街頭端末位置情報記憶部から読み出した街頭端末位置情報とともに提供者サブシステムに送信するアクセスデータ転送手段とを備えている。
提供者サブシステムは、利用者の属性を示す利用者属性情報を利用者ＩＤに対応付けて記憶する利用者属性データベースと、情報提供者の属性を示す提供者属性情報を情報提供者ＩＤに対応付けて記憶する提供者属性データベースと、情報提供者携帯端末から受信した地域情報をその地域情報を投稿した情報提供者の情報提供者ＩＤおよびその地域情報の登録日時に対応付けて記憶する地域情報データベースと、アクセスデータと街頭端末位置情報を街頭端末から受信し、キーワードにマッチするマッチ地域情報を地域情報データベースから抽出するキーワード検索手段と、マッチ地域情報の対象物の位置とアクセスデータを送信した利用者の位置との間の距離を示す距離情報を、街頭端末位置情報と対象物位置情報に基づいて算出する利用者位置検出手段と、マッチ地域情報を登録した情報提供者の情報提供者属性情報を提供者属性データベースから、アクセスデータを送信した利用者の利用者属性情報を利用者属性データベースからそれぞれ抽出し、これら抽出した情報提供者属性情報と利用者属性情報の間の類似度を算出する属性データ類似条件検出手段と、類似度が類似度条件を満足し、かつ、登録日時が登録日時条件を満足し、かつ、距離情報が距離条件を満足する提供地域情報をマッチ地域情報から選択し利用者に提供する情報配信部を備えている。
【００１７】
本発明の、情報配信システム、情報配信プログラム、情報案内方法によっても同様に上記課題を解決することができる。
【発明の効果】
【００１８】
本発明によれば、利用者が初めて訪れた地域でも利用者の嗜好に適合する信用できる地域情報を選択して利用者へ情報提供できる。
【発明を実施するための最良の形態】
【００１９】
次に、本発明の第１の実施形態である地域情報案内システム６の構成について図１を参照して詳細に説明する。
地域情報案内システム６は、口コミ情報の提供を受ける利用者が携行する利用者携帯端末１０、口コミ情報を提供する情報提供者が携行する情報提供者携帯端末４０、サービス提供者が運用する提供者サブシステム７、駅やホテル等のアクセスポイント２に設置された街頭端末２０を備えている。提供者コンテンツ管理サーバ３１、情報案内サーバ３２、位置管理サーバ３３、ウェブサーバ３０を含んで構成される。
上記の各サーバ、端末はインターネット等の通信網を介して相互に通信可能に構成されている。また、図１には、利用者携帯端末１０、アクセスポイント２０、利用者携帯端末４０をそれぞれ１台ずつ図示しているが、実際はそれぞれ複数存在している。
【００２０】
地域情報案内システム６は、特産品やおすすめ料理などの地域情報（コンテンツ）をその場所を訪れた利用者向けに提供するシステムであり、利用者携帯端末１０の可視光通信機能を利用することによって街頭端末２０からインターネットにアクセスし、アクセスポイント２の近くの店舗４が提供する商品やサービスに関し、利用者の嗜好に類似した嗜好を持つ情報提供者による最新の口コミ情報を利用者携帯端末１０へ提供する。以下の説明は、対象物が店舗で販売される商品である場合を例として説明するが、対象物は、料理、体験したサービス、祭・イベント、観光施設、文化施設、サークル活動、学習塾、病院などその地域の事物であればなんでもよい。
【００２１】
図２に利用者携帯端末の構成を示す。
利用者携帯端末１０は利用者が携帯している携帯電話機、ＰＤＡ、スマートフォン等の端末装置で、利用者情報登録手段１１１とアクセスデータ送信手段１１２とコンテンツ受信手段１１３と表示手段１１４を備えている。
【００２２】
利用者情報登録手段１１１は、ウェブサーバ３０に利用者の嗜好や行動パターン等の属性データを送信する。また、コンテンツ管理サーバ３１から、利用者が地域情報案内システム６を利用するために用いる情報案内ソフトウェアをダウンロードする。
【００２３】
アクセスデータ送信手段１１２は、利用者を識別する利用者ＩＤと利用者が知りたい情報を検索するためのキーワードを含むアクセスデータを、街頭端末２０に送信する。以下の説明では、この送信を可視光通信により行うものとするが、他の通信方式、例えば赤外線通信、Ｂｌｕｅｔｏｏｔｈ（登録商標）等の無線通信により行うこともできる。
【００２４】
図３に、利用者携帯端末１０と街頭端末２０のハードウェアのうち可視光通信に関する部分を示す。利用者携帯端末１０は、アクセスデータをメモリ１０３に蓄積しておく。変調器１０２で変調することにより光源１０１を点滅させ、アクセスデータを送信する。光源１０１としては、液晶パネルを照明するためのＬＥＤバックライトを用いることができる。
街頭端末２０は、受光部２０１で光源１０１から発した可視光を受信しこれをフォトダイオードにより電気信号に変換する。この電気信号を復調器２０２により復調してアクセスデータを取得し、メモリ２０３に格納する。
【００２５】
コンテンツ受信手段１１３は、情報案内サーバ３２からコンテンツデータを受信し、受信したコンテンツデータを液晶ディスプレイ装置やスピーカ等の出力装置に出力する。
【００２６】
図４に街頭端末２０の構成を示す。
街頭端末２０は、アクセスデータ転送手段２１１と街頭端末ＩＤ記憶部２１２を備えている。
アクセスデータ転送手段２１１は、可視光通信により利用者携帯端末１０からアクセスデータを受信し、これを街頭端末ＩＤと共にインターネットを介して情報案内サーバ３２に送信する。
街頭端末ＩＤ記憶部２１２は、例えばＲＯＭ等の記憶装置により構成され、街頭端末２０ごとにユニークに付与された番号等の情報で、位置管理サーバ３３がこの位置情報ＩＤと対応付けて各街頭端末の位置情報を記憶している。
なお、街頭端末ＩＤの代わりに、アクセスポイントの位置を直接特定する情報、例えば、アクセスポイントの緯度・経度や住所を記憶しておき、この情報を情報案内サーバ３２に送信するようにしてもよい。
【００２７】
図５に情報提供者携帯端末４０の構成を示す。
情報提供者携帯端末４０は情報提供者が携帯している携帯電話機、ＰＤＡ、スマートフォン等の端末装置で、提供者情報登録手段４０１、撮影手段４０２、測位手段４０３、コンテンツ登録手段４０４を備えている。
【００２８】
提供者情報登録手段４０１は、コンテンツ管理サーバ３１に、情報提供者の属性情報を送信する。
【００２９】
撮影手段４０２は、例えばデジタルカメラモジュールにより構成され、情報提供者が利用した店舗において、特産品や料理等の商品等の対象物を撮影し、画像データとして記憶装置に保存する。
【００３０】
測位手段４０３は、ＧＰＳモジュールにより構成され、ＧＰＳ衛星から発信される測位情報に基づいて、情報提供者の現在位置を測定する。測位手段４０３は、撮影手段４０２と連携して動作し、撮影手段４０２が生成する画像データに撮影日時と撮影場所（すなわち、情報提供者の現在位置であり店舗の位置）を示す撮影情報を付加する。このような撮影情報が付加された画像データ形式としては、Ｅｘｉｆ（Exchangeable Image File Format）が知られている。
【００３１】
コンテンツ登録手段４０４は、撮影手段４０２により生成された画像データと、店舗や商品に関する情報提供者のコメントを含むコンテンツデータを情報提供者ＩＤと共にコンテンツ管理サーバ３１に送信する。コメントは、文字による情報のほか、音声による情報としてもよい。また、画像データの撮影場所と撮影日時は、上記のように画像データに含める形には限らず、情報提供者が情報提供者端末４０の入力装置を操作して入力するようにしてもよい。この場合、撮影場所に代わり店舗の名称等の店舗を特定する情報を入力するようにし、位置管理サーバ３３が、名称等と対応付された位置情報をデータベースから取得するようにしてもよい。
【００３２】
なお、利用者携帯端末１０が上記の情報提供者携帯端末４０の各機能を兼ね備えるようにし、コンテンツの提供を受けた利用者がその店舗を実際に利用した後に、情報提供者としてその店舗に関するコンテンツを登録することができるようにしてもよい。
【００３３】
また、上記の説明では、コンテンツデータの要素をすべて情報提供者携帯端末４０から送信するものとしたが、複数の装置から送信するようにしてもよい。例えば、画像データを情報提供者携帯端末４０から送信するようにし、コメントを情報提供者の自宅に設置されたパーソナルコンピュータから送信するようにしてもよい。
【００３４】
ウェブサーバ３０は、ＨＴＴＰサーバソフトウェアを動作させるサーバコンピュータで、利用者携帯端末１０からの要求に応じて、利用者属性情報を登録するために用いる会員申し込みフォームを利用者携帯端末１０に送信する。また、情報提供者携帯端末４０からの要求に応じて、提供者属性情報を登録するために用いる会員申し込みフォームを情報提供者携帯端末１０に送信する。
【００３５】
図６に、コンテンツ管理サーバ３１、情報案内サーバ３２、位置管理サーバ３３の機能ブロック図を示す。
【００３６】
コンテンツ管理サーバ３１は、キーワード検索手段３１０、属性データ類似条件検出手段３１１、最新データ検索手段３１２、情報提供者投稿データ記憶部３１３、アクセスデータ記憶部３１６、利用者属性データベース３１７、登録受け付け手段３１８を備えている。
【００３７】
情報提供者投稿データ記憶部３１３は、例えばハードディスク装置により構成され、コンテンツデータベース３１４と提供者属性データベース３１５を記憶している。
コンテンツデータベース３１４には、情報提供者端末４０から受信したコンテンツが、そのコンテンツを登録した情報提供者の情報提供者ＩＤと対応付けられて登録されている。また、コンテンツに含まれる画像データには、画像ＩＤが付され、画像データと対応付けられて記憶されている。
提供者属性データベース３１５には、情報提供者携帯端末４０から受信した提供者属性情報が情報提供者ＩＤと対応付けられて登録されている。
【００３８】
アクセスデータ記憶部３１６は、例えばＲＡＭにより構成され、情報案内サーバ３１から取得したアクセスデータを記憶する。
【００３９】
利用者属性データベース３１７には、利用者携帯端末１０から受信した利用者属性情報が利用者ＩＤと対応付けられて登録されている。
【００４０】
キーワード検索手段３１０は、情報案内サーバ３２の要求に応じて、情報提供者コンテンツデータ３１４から、アクセスデータに含まれるキーワードに合致するコンテンツを抽出する。
【００４１】
属性データ類似条件検出手段３１１は、キーワード検索手段３１０により抽出されたコンテンツを投稿した情報提供者の属性情報と、アクセスデータを送信した利用者の属性データを比較して両者の類似度を算出する。
【００４２】
最新データ検索手段３１２は、キーワード検索手段３１０により抽出されたコンテンツから投稿日時の新しいものを選択する。
【００４３】
登録受け付け手段３１８は、次の各機能を備えている。
（１）利用者端末１０から利用者属性情報を受信し、利用者属性データベースに登録する。
（２）情報提供者端末４０から、提供者属性情報を受信し、提供者属性データベース３１５に登録する。
（３）情報提供者端末４０から、コンテンツデータを受信しコンテンツデータベース３１４に登録する。
（４）情報案内プログラムを利用者携帯端末１０に送信する。
【００４４】
情報案内サーバ３２は、属性データ類似度抽出部３２０、最新データ抽出部３２１、地図データ抽出部３２２、利用者アクセスカウント部３２４、情報配信部３２３を備えている。
属性データ類似度抽出部３２０は、属性データ類似条件検出手段３１１が算出した類似度に基づいて、アクセスデータを送信した利用者の属性に類似する属性を持つ情報提供者が投稿したコンテンツを選択する。
【００４５】
最新データ抽出部３２１は、属性データ類似度抽出部３２０が選択したコンテンツから、投稿日時が新しいものを選択する。
【００４６】
地図データ抽出部３２２は、最新データ抽出部３２１により選択されたコンテンツに含まれる店舗の位置と利用者の位置を含む地図データを位置測定・地図情報管理部３３１から取得する。
【００４７】
情報配信部３２３は、コンテンツデータと地図データを利用者端末１０に送信する。
【００４８】
利用者アクセスカウント部３２４は、アクセスポイント毎に、利用者端末１０からアクセスデータを受信した回数をカウントし、メモリに記憶する。また、コンテンツデータベース４０に登録されたコンテンツ毎に、そのコンテンツが利用者携帯端末１０に送信された回数をカウントし、メモリに記憶する。
【００４９】
位置管理サーバ３３は、利用者位置情報検出部３３と位置測定・地図情報管理部３３１を備えている。
利用者位置情報検出部３３は、街頭端末に付与された街頭端末ＩＤとその街頭端末の位置情報を対応付けて予め記憶装置に記憶しておき、アクセスデータを取得したときに、そのアクセスデータに含まれる街頭端末ＩＤに基づいてアクセスデータを受信した街頭端末の位置、すなわち利用者の位置を特定する。
【００５０】
位置測定・地図情報管理部３３１は、案内サービスの対象となる地域全域の地図データを保持しており、コンテンツが紹介する店舗の位置と利用者の位置を含む領域の地図データを全域の地図データから抽出する。また、コンテンツが紹介する店舗の位置と利用者の位置との間の距離を算出する。
【００５１】
提供者サブシステム７の構成は、上記のように４台のサーバマシンからなる構成には限定されない。例えば、４台のサーバマシンの各機能を１台のサーバマシンに集約して実装してもよいし、逆に５台以上のサーバマシンに分散して実装してもよい。
【００５２】
次に、地域情報案内６システムの動作について詳細に説明する。
図７と図８は地域情報案内システム６の利用者情報の登録と情報提供の動作を示すシーケンス図である。
利用者１は自分の利用者携帯端末１０を利用してインターネット経由でウェブサーバ３０が公開している情報案内サービスサイト内の会員申し込みページにアクセスする（図７、ステップＳ１−１）。
ウェブサーバ３０は、利用者携帯端末１０に会員申込みフォームを送信し、これを受信した利用者端末１０は、会員申し込みフォームを表示装置に表示する（ステップＳ１−２）。
利用者が、利用者のプロファイルとして嗜好や行動パターンなどの属性データを選択入力すると、利用者端末１０は、入力されたデータを含む会員申請データをコンテンツ管理サーバ３１に送信する。コンテンツ管理サーバ３１は、利用者に利用者ＩＤを付与するとともに、受信したデータを利用者属性デーベース３１７に登録する（ステップＳ１−３）。利用者１のプロファイル入力画面例を図１４に示す。この入力画面１０４では、利用者属性情報として、食の嗜好と音楽の嗜好と行動パターンについて各項目の左に表示されたチェックボックス１０５をチェックすることにより入力する。
コンテンツ管理サーバ３１は、利用者携帯端末１０に情報案内ソフト送信と利用者ＩＤを含むデータを送信する。このデータを受信した利用者携帯端末１０は、情報案内ソフトを実行できるようにインストールし、利用者ＩＤを利用者ＩＤ記憶手段に記憶する（ステップＳ１−４）。
【００５３】
利用者は、地域情報案内システム６を利用するために街頭端末２０が設置されているアクセスポイント２で、利用者携帯端末１０から地域情報案内サービスサイトにアクセスした状態で、利用者携帯端末１０の情報案内ソフトを起動し、メニュー画面から知りたい情報を検索するためのキーワードを入力する（ステップＳ１−５）。情報案内ソフトの入力画面を図１５に示す。この図では、入力画面１０５内のテキストボックス１０６にキーワード「郷土料理」が入力された状態を示している。
利用者携帯端末１０は、入力されカキーワードをモリに保存し、利用者の送信指示に従って、アクセスデータ送信手段により街頭端末２０に利用者ＩＤとキーワードを含むアクセスデータを送信する（ステップＳ１−６）。
【００５４】
街頭端末２０のアクセスデータ転送手段は、受信したアクセスデータを情報案内サーバ３２経由でコンテンツ管理サーバ３１へ送信する（ステップＳ１−７）。アクセスデータ転送手段は、アクセスポイントに付与されている街頭端末ＩＤを情報案内サーバ３２を経由して位置管理サーバ３３に送信する（ステップＳ１−８）。
【００５５】
情報案内サーバ３２は、受信した街頭端末ＩＤに対応する街頭端末のアクセス数をカウントし（ステップＳ１−９）、コンテンツ管理サーバ３１に対してキーワードと利用者ＩＤを送信し、キーワードにマッチする情報コンテンツデータの検索を要求する（ステップＳ１−１０）。
【００５６】
コンテンツ管理サーバ３１は、コンテンツデータベースを検索し、受信したキーワードにマッチする情報コンテンツデータを抽出する。そして、受信した利用者ＩＤに対応する利用者属性情報を利用者属性データベースから読み出し、抽出したコンテンツデータから利用者の属性データと類似する属性を持つ情報提供者の情報コンテンツデータを選択する（図８ステップＳ１−１１）。
さらにコンテンツ管理サーバ３１は、ステップＳ１−１１で選択したコンテンツデータから投稿された日時の新しい順に所定の数だけに選択する（ステップＳ１−１２）。
コンテンツ管理サーバは、ステップＳ１−１２で選択したコンテンツデータの画像データと位置情報（この例では、画像データに位置情報が含まれている）を位置管理サーバ３３へ送信する（ステップＳ１−１３）。
【００５７】
位置管理サーバ３３は、ステップ１−８で受信した街頭端末ＩＤに基づいて街頭端末２０の位置（すなわち、利用者の位置）を特定し、地理データから利用者の位置とステップＳ１−１２で選択した店舗の位置との間の距離を測定し、地図データ上に利用者と店舗の位置を挿入し、この地図データを情報案内サーバ３２へ送信する（ステップＳ１−１４）。
【００５８】
情報案内サーバ３２は、ステップＳ１−１１とステップＳ１−１２で選択された情報コンテンツデータからさらに、利用者と店舗との距離が所定の距離よりも小さく、かつ、利用者の位置に最も近い店舗に関連した情報コンテンツデータを選択し、利用者携帯端末１０へ送信し、情報提供者の情報選択データ数をカウントする（ステップＳ１−１５）。送信するコンテンツに含まれる画像データは、利用者携帯端末１０の表示装置が小型であることを考慮して、オリジナルのデータをデータサイズが小さくなるように加工したものとしてもよい。
なお、コンテンツの選択の手順の詳細については、後述する。
【００５９】
利用者携帯端末１０は、情報コンテンツデータを受信しディスプレイ装置に表示する（Ｓ１−１６）。このとき、まず、店舗名と投稿時刻データの項目だけを利用者携帯端末１０からの距離が近い順番で表示する。利用者が表示されたコンテンツのひとつを選択すると、情報案内サーバ３２は選択されたコンテンツを投稿した情報提供者４の情報選択データ数をカウントし、利用者携帯端末１０へ情報コンテンツデータを案内情報として表示する（ステップＳ１−１６）。案内情報には利用者の位置と該当する店舗や料理店の位置を示した地図情報や情報提供者が音声入力した口コミ情報も提供される。
利用者携帯端末１０のコンテンツ表示画面を図１６に示す。この例では、ステップＳ−１５で選択されたコンテンツの店舗の位置に関する情報１０７と情報提供者のコメント１０８と店舗で提供される料理の画像１０９が表示されている。ハイパーリンク１１０を利用者が選択すると店舗と利用者の位置を含む地図が表示される。
【００６０】
情報案内サーバ３２が利用者のアクセスデータを受け付けて、最適な口コミ情報を検索して選択し利用者携帯端末１０へ配信する処理（ステップＳ１−９〜ステップＳ１−１５）を図５の情報コンテンツ検索・抽出機能ブロック図、図６の属性データ類似度比較表、図７の検索データ抽出方法を参照して詳細に説明する。
【００６１】
情報案内サーバ３２では、街頭端末ＩＤからアクセスデータを受信すると、利用者アクセスカウント部３２４でアクセス数をカウントし、位置管理サーバ３３の利用者位置情報検出手段３３０によって街頭端末ＩＤを検出する（ステップＳ１−９）。
情報案内サーバ３２は、コンテンツ管理サーバ３１に対してキーワード検索を要求し、キーワード検索手段３１０がアクセスデータ３１６からキーワードを抽出しキーワード検索を実行する（ステップＳ１−１０）。キーワード検索手段３１０は、キーワードの文字データにマッチする情報を含むコンテンツをコンテンツデータベース３１４のから検索する。
【００６２】
属性データ類似条件検出手段３１１と最新データ検索手段３１２が生成するデータを図１０に示す。
コンテンツ管理サーバ３１の属性データ類似条件検索手段３１１は、情報案内サーバが受信したアクセスデータに含まれる利用者ＩＤを持つ利用者の利用者属性情報を利用者属性データベース３１７から抽出する。そして、抽出した利用者属性情報とステップＳ１−１０の検索でマッチした情報を投稿した情報提供者の属性情報を提供者属性データベースから抽出し、利用者の属性と情報提供者の属性の類似度を算出する。
【００６３】
類似度の算出方法の一例を図９に示す。ここでは、属性情報は、「辛いものが好き」等の８個の属性データ条件について、「１：だいたいイエス」、「２：どちらかというとイエス」、「３：ノー」という選択データによって示されている。情報提供者ＡないしＤは、ステップＳ１−１０の検索でマッチした情報を投稿した情報提供者である。
属性データ類似条件検出手段３１１は、利用者との選択データの一致割合を各情報提供者について算出し、これを類似度とする。例えば、情報提供者Ａは、８個の属性データ条件のうち６個について選択データが利用者と一致するので、類似度は、７５％（（６／８）＊１００）となる。
属性データ類似度計算手段３１１は、類似度条件（例えば、類似度が所定の閾値以上、という条件）を満足する情報提供者を選択し、図１０の情報提供者属性データ類似度データＤ１を生成する。
【００６４】
情報案内サーバ３２の属性データ類似度抽出部３２０は、情報提供者属性データ類似度データＤ１に基づいて情報提供者の情報コンテンツデータを抽出する。
さらに、最新データ検索手段３１２は、コンテンツデータベース３１４の発信時刻データに基づき登録日時条件（例えば、発信時刻が新しい順に３個、という条件）を満足する新しく発信された情報コンテンツデータを選択し、図１０の情報提供者最新データ抽出結果Ｄ２を生成する。
【００６５】
コンテンツ管理サーバ３１は、コンテンツデータベース３１４の画像位置情報を位置管理サーバ３３へ送信し、位置管理サーバ３３の位置測定・地図情報管理部３３１は、利用者位置情報検出手段３３０によって特定された街頭端末２０の位置データと情報コンテンツデータの画像位置情報を店舗位置情報として地図データにプロットし、地理データから利用者の位置と店舗位置の距離を測定しそれを地図データ上に表示し、情報案内サーバ３２の地図データ抽出部３２２へ送信する。
【００６６】
情報案内サーバ３２の地図データ抽出部３２２は、最新データ抽出部３２１で抽出された情報コンテンツデータから、利用者と店舗との間の距離が距離条件（例えば、距離が所定の閾値以下でかつ利用者から最も近い、という条件）を満足する店舗に関連した情報コンテンツデータを選択する。結果として利用者プロファイル情報の属性データで類似度の高い情報提供者による最新の口コミ情報で、かつ利用者から最も近い店舗に関連した商品やサービスを示す最適な情報コンテンツデータを情報配信部３２３から利用者携帯端末１０へ送信する。
【００６７】
次に図１１のフローチャートを参照して地域情報案内システム６の情報コンテンツデータの登録動作について詳細に説明する。
情報提供者は、情報提供者携帯端末４０を用いてウェブサーバ３０の情報投稿サイトにアクセスする（ステップＳ１−１７）。
その情報提供者が初めて地域情報のコンテンツデータを登録するときには、ウェブサーバ３０は、入力フォームを情報提供者携帯端末に送信し、情報提供者携帯端末４０はこれを受信して表示装置に表示する。情報提供者が、情報提供者の嗜好や行動パターンなど属性情報を選択入力すると情報提供者端末４０は、入力された情報をとコンテンツ管理サーバ３１に送信し、コンテンツ管理サーバ３０は、受信した属性情報を提供者属性データベース３１５に登録する（ステップＳ１−１８）。また、このとき、コンテンツ管理サーバ３１は、情報送信者に情報提供者ＩＤを付与し、そのＩＤを情報提供者端末４０に送信する。２回目からは、情報投稿サイトにアクセスして情報提供者ＩＤを入力するだけで情報コンテンツデータを登録できる。
【００６８】
情報提供者は、情報提供者携帯端末４０の撮影手段により店舗や料理店において特産品や料理の写真を撮り、情報投稿サイトにアクセスしてから情報コンテンツ入力フォームに画像データと商品やサービスに関する音声や文字によるコメントを入力してする。情報提供者携帯端末４０は、入力されたコンテンツデータをコンテンツ管理サーバ３１に送信する。コンテンツ管理サーバ３１は、受信したコンテンツデータをコンテンツデータベース３１４に登録する（ステップＳ１−１９）。
このとき、コンテンツ管理サーバ３１は、受信した画像に画像ＩＤを付加し、情報提供者のＩＤ、撮影日時、撮影場所と対応付けて登録する（ステップＳ１−２０）。
【００６９】
次に、地域情報案内システム６の効果について説明する。
地域情報案内システム６では、情報案内サーバ３２が、利用者と嗜好や行動がよく似た情報提供者によるコンテンツを選択して利用者携帯端末１０に送信するように構成されているため、利用者は、初めて訪れた場所でも、価値基準が似ている情報提供者の情報に共感し、信用できる友人から薦められたような感覚で、紹介された店を訪問し商品を購入することができる。
このことを、紹介の対象となる店舗から見ると、利用して気に入ってくれた客に情報提供者として口コミをしてもらうことによって、チラシの配布や店舗外である駅やホテルなどにポスターや広告看板を設置する必要がなくなり、宣伝に要する留守費用や手間を節約することができる。
【００７０】
また、情報案内サーバ３２が、情報提供者の投稿時刻及び店舗場所と利用者のサービス利用場所との位置情報からコンテンツを検索するように構成されているため、利用者から最も近い場所にある店舗の最新情報を知ることができる。
【００７１】
情報案内サーバ３２は、アクセスポイント２における利用者の街頭端末２０へのアクセス数（図７、Ｓ１−９）と、投稿コンテンツが選択された回数（図８、Ｓ−１−１５、Ｓ１−１６）を集計して、利用者のサービス利用場所と地域情報内容の関連性を分析できる。
【００７２】
サービス提供者は、街頭端末２０のアクセス回数に応じて、街頭端末２０を設置している場所を管理する施設提供者へ施設利用料を提供したり、投稿コンテンツの選択回数に応じて投稿した店舗や料理店で商品やサービスを割引利用することができるポイントを情報提供者４へ提供したりすることができる。
【００７３】
利用者携帯端末１０から可視光通信によって街頭端末２０へデータ送信するように構成されているため、利用者は、送信したいデータを選択し街頭端末２０の光センサーに利用者携帯端末の画面を向けるという簡単な操作をするだけでアクセスデータを情報案内サーバ３２に送信することができる。また、可視光によりアクセスデータを送信すれば、赤外線や無線に比べて暗い場所でもわかりやすく、電磁波が発生しないので安全に利用することができる。
【００７４】
次に、本発明の第２の実施形態の構成と動作について詳細に説明する。以下の説明では、第１の実施形態と共通する部分については説明を省略する。
第２の実施形態の全体構成は図１と同様であるが、アクセスポイント２は、地下街など利用者携帯端末１０がインターネットに接続できない場所に設置されている。そのため、情報案内サーバ３２は、コンテンツ情報を街頭端末２０に送信する点が第１の実施形態と異なっている。
街頭端末２０は、図１８に示すように、図４に示した構成に加え表示手段２１３を備えている。表示手段２１３は、情報案内サーバ３２から受信したコンテンツを表示する。表示手段２１３は、表示されたコンテンツを利用者が見やすいように、また、細部まで詳細に表示することができるように大型のディスプレイ装置で構成するのが望ましい。
【００７５】
第２の実施形態の動作について図１２を参照して説明する。
利用者の会員登録の際の動作（図７、ステップＳ１−１ないしＳ１−４）、コンテンツの登録動作（図１１）、利用者がアクセス情報を送信し情報案内サーバ３２が利用者に送信するコンテンツを選択するまでの動作（ステップＳ１−５ないしＳ１−１４）は、第１の実施形態と同様である。
【００７６】
情報案内サーバ３２は、ステップＳ１−２１において、送信するコンテンツを選択した後、ステップＳ１−８で受信した街頭端末ＩＤによりアクセス情報の送信元の街頭端末２０を特定し、その街頭端末２０にコンテンツデータを送信する。
街頭端末２０は、受信したコンテンツデータを第１の実施形態と同様の態様で自身のディスプレイ装置に表示する。コンテンツデータに音声データが含まれている場合には、スピーカで再生する。
表示されたコンテンツのリストから、利用者が特定のコンテンツを選択する方法は、例えば、ディスプレイ装置をタッチパネルを備えたものとして、利用者が選択したい項目に画表示されている部分に指で触れることにより選択する（ステップＳ１−２２）。
【００７７】
次に、本発明の第２の実施形態の効果について説明する。
第２の実施形態では、位置管理サーバ３３が街頭端末ＩＤを認識して情報案内サーバ３２からの情報コンテンツデータの配信先を選択できるようになっているため、地下街など利用者携帯端末１０がインターネットに接続できない場所にアクセスポイント５があっても利用者携帯端末１０ではなく、ディスプレイを備えた街頭端末５０に地域の口コミ情報を提供することができる。
【００７８】
次に、本発明の第３の実施形態の構成と動作について詳細に説明する。
第３の実施形態の全体構成は、図１と同様であるが、利用者携帯端末がコンテンツデータを受信した後、それに含まれる画像データの画像ＩＤを街頭端末２０に転送し、そのＩＤに対応する画像データを街頭端末２０が情報案内サーバ３２から取得し、街頭端末２０のディスプレイ装置に表示することができる点が第１の実施形態と異なっている。
利用者携帯端末１０は、図１９に示すように、図２の構成に加えて、画像ＩＤ転送手段１１５を備えている。画像ＩＤ転送手段１１５は、利用者の指示に従って、情報案内サーバから受信した画像ＩＤを街頭端末１０に送信する。
街頭端末２０は、図２０に示すように、図１８の構成に加え、画像データ取得手段２１４を備えている。画像データ取得手段２１４は、利用者端末１０から受信した画像ＩＤをコンテンツ管理サーバ３１に送信し、その画像ＩＤに対応する画像データを取得する。
【００７９】
図１３は、利用者携帯端末１０がコンテンツデータを受信した後の動作を示すフローチャートである。
利用者は、利用者携帯端末１０に街頭端末に表示させたい画像を表示させ、情報案内ソフトを起動しメニューから画像表示機能を選択する（ステップＳ２−１）。図１２に、このとき表示されるメニュー画面を示す。図１５と同様の検索メニューのほかに、符号１２０の部分を選択して画像表示機能を起動できるようになっている。
利用者が画像を選択すると、画像ＩＤ転送手段１１４は、選択された画像の画像ＩＤを街頭端末２に送信する（ステップＳ２−２）。
街頭端末２０は、受信した画像ＩＤをコンテンツ管理サーバ３３に送信する（ステップＳ２−３）。
コンテンツ管理サーバ３１は、受信した画像ＩＤに対応する画像データをコンテンツデータベースから選択し、街頭端末２０に送信する（ステップＳ２−４）。ここでは、携帯端末１０に最初に送信する画像がオリジナルの画像データではなく、データサイズが小さくなるように加工したものである場合にも、オリジナルのデータを送信する。
街頭端末２０は、ディスプレイ画面サイズにあったオリジナルデータの画像を表示する（ステップＳ２−５）。
上記と同様の手順で、利用者携帯端末１０で案内情報の地図データを選択し、可視光通信機能によって地図ＩＤを街頭端末２０へ送信し、街頭端末２０がそのＩＤに対応するオリジナルの地図データを情報案内サーバから取得し、表示するようにしてもよい。
【００８０】
次に、本発明の第３の実施形態の効果について説明する。
本発明の第３の実施形態では、利用者携帯端末１０に表示された画像ＩＤを街頭端末２０からコンテンツ配信サーバ３１へ送信すると情報提供者コンテンツデータから登録されたオリジナルデータの画像を街頭端末２０へ配信するように構成されていることと、画像ＩＤが地図情報の場合は位置管理サーバ３３においてオリジナルの地図データの画像を街頭端末２０へ配信するように構成されているため、利用者携帯端末１０の画面では見えにくい情報コンテンツデータの画像をコンテンツ配信サーバ３１に登録された画像データサイズで、また位置管理サーバ３３で作成された地図データサイズで、大型ディスプレイを備えた街頭端末２０に表示することができる。
【図面の簡単な説明】
【００８１】
【図１】本発明の第１の実施形態の全体構成を示す図である。
【図２】利用者携帯端末の機能ブロック図である。
【図３】利用者携帯端末と街頭端末の可視光通信に関連したハードウェアの構成を示す図である。
【図４】街頭端末の機能ブロック図である。
【図５】提供者端末の機能ブロック図である。
【図６】コンテンツサーバ、情報案内サーバ、位置管理サーバの機能ブロック図である。
【図７】本発明の第１の実施形態の利用者の登録と情報の提供動作を示すフローチャートである。
【図８】本発明の第１の実施形態の情報の提供動作を示すフローチャートである。
【図９】類似度の算出方法の一例を示す図である。
【図１０】属性データ類似条件検出手段と最新データ検索手段が生成するデータを示す図である。
【図１１】本発明の第１の実施形態の情報提供者とコンテンツの登録動作を示すフローチャートである。
【図１２】本発明の第２の実施形態の情報の提供動作を示すフローチャートである。
【図１３】本発明の第３の実施形態の情報の提供動作を示すフローチャートである。
【図１４】利用者属性情報の入力画面を示す図である。
【図１５】キーワードの入力画面を示す図である。
【図１６】コンテンツの表示画面を示す図である。
【図１７】キーワードの入力および画像拡大を指示する画面を示す図である。
【図１８】本発明の第２の実施形態における街頭端末の機能ブロック図である。
【図１９】本発明の第２の実施形態における利用者端末の機能ブロック図である。
【図２０】本発明の第３の実施形態における街頭端末の機能ブロック図である。
【符号の説明】
【００８２】
２  アクセスポイント
４  店舗
６  地域情報案内システム
７  提供者サブシステム
１０  利用者携帯端末
２０  街頭端末
３０  ウェブサーバ
３１  コンテンツ管理サーバ
３２  情報案内サーバ
３３  位置管理サーバ
４０  情報提供者携帯端末
１０１  光源
１０２  変調器
１０３  メモリ
１１１  利用者情報登録手段
１１２  アクセスデータ送信手段
１１３  コンテンツ受信手段
１１４  表示手段
１１５  画像ＩＤ転送手段
２０１  受光部
２０２  復調期
２０３  メモリ
２１１  アクセスデータ転送手段
２１２  街頭端末ＩＤ記憶部
２１３  表示手段
２１４  画像データ取得手段２１４
３１０  キーワード検索手段
３１１  属性データ類似条件検出手段
３１４  コンテンツデータベース
３１５  提供者属性データベース
３１６  アクセスデータ記憶部
３１７  利用者属性データベース
３１８  登録受け付け手段
３２０  属性データ類似度抽出部
３２１  最新データ抽出部
３２２  地図データ抽出部
３２３  情報配信部
３２４  利用者アクセスカウント部
３３０  利用者位置情報検出手段
３３１  位置測定・地図情報管理部
４０１  提供者情報登録手段
４０２  撮影手段
４０３  測位手段
４０４  コンテンツ登録手段
【図１】
2008217133.tif 000003
【図２】
2008217133.tif 000004
【図３】
2008217133.tif 000005
【図４】
2008217133.tif 000006
【図５】
2008217133.tif 000007
【図６】
2008217133.tif 000008
【図７】
2008217133.tif 000009
【図８】
2008217133.tif 000010
【図９】
2008217133.tif 000011
【図１０】
2008217133.tif 000012
【図１１】
2008217133.tif 000013
【図１２】
2008217133.tif 000014
【図１３】
2008217133.tif 000015
【図１４】
2008217133.tif 000016
【図１５】
2008217133.tif 000017
【図１６】
2008217133.tif 000018
【図１７】
2008217133.tif 000019
【図１８】
2008217133.tif 000020
【図１９】
2008217133.tif 000021
【図２０】
2008217133.tif 000022